(57)【要約】【課題】本発明は冷蔵庫の内・外部に流通される熱または冷気を遮断させるための冷蔵庫用密閉装置を提供することを目的とする。【解決手段】自由自在に変形及び回転される空気ポケットを備えたドアガスケットと、インナーケースまたはドアライナーの中の少なくともいずれかの一つから突出されるように形成された突出部を含むことで、冷蔵庫外部の熱またはホットラインから発熱された熱が冷蔵庫の内部に浸透されたり、冷蔵庫内部の冷気が冷蔵庫の外部に漏洩されることを遮断または最小化させ、断熱性能を顕著に向上させることができるように構成する。【選択図】　　　図２
2004012121.tif 000002
【特許請求の範囲】
【請求項１】
冷蔵庫の外壁と内壁を構成するアウトケース及びインナーケースにて構成される冷蔵庫の本体と、前記インナーケースに対向するようにドアライナーが備えられ、密着部を通じて冷蔵庫の本体と開閉される冷蔵庫のドアを含む冷蔵庫において、前記冷蔵庫ドアの一側に設置され、前記インナーケースとドアライナーの間に密閉されるように自由自在に変形及び回転される空気ポケットを備えたドアガスケット及び前記空気ポケットが容易に密閉されるように前記インナーケースまたはドアライナーの中で少なくともいずれかの一つから前記インナーケースと前記ドアライナーの間に突出されるように形成された突出部を含むことを特徴とする冷蔵庫用密閉装置。
【請求項２】
前記空気ポケットの上部は下部に比べて厚さが薄いことを特徴とする請求項１記載の冷蔵庫用密閉装置。
【請求項３】
前記空気ポケットの内側には形状を維持するための支え隔壁が備えられることを特徴とする請求項１記載の冷蔵庫用密閉装置。
【請求項４】
前記空気ポケットが自由自在に変形及び回転されるように前記空気ポケットの下部の一側に第１凹部が形成されることを特徴とする請求項１記載の冷蔵庫用密閉装置。
【請求項５】
前記密着部と前記空気ポケットの間を離隔させるために前記空気ポケットの上部の一側に第２凹部が形成されることを特徴とする請求項１記載の冷蔵庫用密閉装置。
【請求項６】
前記突出部は前記インナーケースの下段部に形成されることを特徴とする請求項１記載の冷蔵庫用密閉装置。
【請求項７】
前記突出部は前記ドアライナーに形成されることを特徴とする請求項１記載の冷蔵庫用密閉装置。
【請求項８】
前記突出部は前記インナーケース及び前記ドアライナーで互いに対向されるように形成されることを特徴とする請求項１記載の冷蔵庫用密閉装置。
【請求項９】
前記突出部は前記インナーケース及び前記ドアライナーで互いに擦れ違うように形成されることを特徴とする請求項１記載の冷蔵庫用密閉装置。
【請求項１０】
冷蔵庫の外壁と内壁を構成するアウトケース及びインナーケースにて構成される冷蔵庫の本体と、前記インナーケースに対向するようにドアライナーが備えられ、密着部を通じて冷蔵庫本体と開閉される冷蔵庫ドアを含む冷蔵庫において、前記冷蔵庫ドアの一側に設けられ、自由自在に変形及び回転が成される空気ポケットが密着部の側部から前記冷蔵庫ドアの内側の方に長く延長され一体として形成されることを特徴とする冷蔵庫用ドアガスケット。
【請求項１１】
前記空気ポケットは冷蔵庫が閉まる場合、前記インナーケースと前記ドアライナーの間に密着されることを特徴とする請求項１０記載の冷蔵庫用ドアガスケット。
【請求項１２】
前記空気ポケットの上部は下部に比べて厚さが薄いことを特徴とする請求項１０記載の冷蔵庫用ドアガスケット。
【請求項１３】
前記空気ポケットの内側には、形状を維持するための支え隔壁が備えられることを特徴とする請求項１０記載の冷蔵庫用ドアガスケット。
【請求項１４】
前記空気ポケットが自由自在に変形または回転されるように、前記空気ポケットの下部の一側に第１凹部が形成されることを特徴とする請求項１０記載の冷蔵庫用ドアガスケット。
【請求項１５】
前記密着部と前記空気ポケットの間を離隔させるために前記空気ポケットの上部の一側に第２凹部が形成されることを特徴とする請求項１０記載の冷蔵庫用ドアガスケット。
【請求項１６】
冷蔵庫の外壁と内壁を構成するアウトケース及びインナーケースにて構成される冷蔵庫の本体と、前記インナーケースに対向するようにドアライナーが備えられ、密着部を通じて冷蔵庫の本体と開閉される冷蔵庫ドアを含む冷蔵庫において、前記インナーケースまたはドアライナーの中で少なくともいずれかの一つから前記インナーケースと前記ドアライナーの間から突出されるように形成された突出部を含んで構成される冷蔵庫用密閉装置。
【請求項１７】
前記突出部は前記インナーケースの下段部に形成されることを特徴とする請求項１６記載の冷蔵庫用密閉装置。
【請求項１８】
前記突出部は前記ドアライナーに形成されることを特徴とする請求項１６記載の冷蔵庫用密閉装置。
【請求項１９】
前記突出部は前記インナーケース及び前記ドアライナーで互いに対向するように形成されることを特徴とする請求項１６記載の冷蔵庫用密閉装置。
【請求項２０】
前記突出部は前記インナーケース及び前記ドアライナーで互いに擦れ違うように形成されることを特徴とする請求項１６記載の冷蔵庫用密閉装置。
【請求項２１】
冷蔵庫ドアのドアライナーに装着される冷蔵庫用ドアガスケットにおいて、前記ドアライナーの結合溝に挿入固定される結合部と、前記結合部と一体として形成され前記冷蔵庫ドアと冷蔵庫本体との接触時に加えられる衝撃を吸収するための第１空気ポケットと、前記第１空気ポケットに一体として形成され、内部に挿入された磁石により冷蔵庫本体と密着される密着部及び、前記密着部の側部から前記冷蔵庫ドアの内側の方に長く延長されまた一体として形成され、自由自在に変形及び回転される第２空気ポケットを含むことを特徴とする冷蔵庫用ドアガスケット。
【請求項２２】
前記空気ポケットの上部は下部に比べて厚さが薄いことを特徴とする請求項２１に記載の冷蔵庫用ドアガスケット。
【請求項２３】
前記空気ポケットの内側には形状を維持するための支え隔壁が備えられることを特徴とする請求項２１記載の冷蔵庫用ドアガスケット。
【請求項２４】
前記空気ポケットが自由自在に変形及び回転されるように前記空気ポケットの下部の一側に第１凹部が形成されることを特徴とする請求項２１記載の冷蔵庫用ドアガスケット。
【請求項２５】
前記密着部と前記空気ポケットの間を離隔させるために前記空気ポケットの上部の一側に第２凹部が形成されることを特徴とする請求項２１記載の冷蔵庫用ドアガスケット。
【発明の詳細な説明】
【０００１】
【発明の属する技術分野】
本発明は、冷蔵庫に関し、特に冷蔵庫の内・外部に流通される熱または冷気を遮断させるための冷蔵庫用密閉装置に関するものである。
【０００２】
【従来の技術】
一般に、冷蔵庫は圧縮機、凝縮機、膨張バルブ、蒸発機等で構成される冷凍サイクルにより生成された冷気を吐出し、庫内の温度を低下させ、飲食物等を冷凍させたり冷蔵保管するために利用される。このような冷蔵庫では庫内に吐出された冷気が冷蔵庫の外部に漏洩されないことと同時に、前記冷蔵庫の外部の熱が庫内に流入されることを遮断させるため、冷蔵庫ドアの内側の縁、即ち、ドアライナーにドアガスケットが装着固定される。
【０００３】
図１３は従来の冷蔵庫ドアを示す図である。図１３を参照すると、冷蔵庫ドア１０は鉄板材質である外部ドア２０と、ＡＢＳ樹脂を一定の形態に真空成形して前記外部ドア２０に結合させるドアライナー３０と、断熱を目的に前記外部ドア２０及びドアライナー３０の間に発泡成形されるウレタン発泡体４０にて構成されている。この時、前記ドアライナー３０の一側には冷蔵庫内部と冷蔵庫外部を遮断させるためのドアガスケットが装着される。
【０００４】
図１４は従来の冷蔵庫ドアで冷凍室と冷蔵室を区切るマリオン（ｍｕｌｌｉｏｎ）部のドアライナーに装着されたドアガスケットを示す図である。図１４を参照すれば、従来のドアガスケット５０は挿着された磁石５１の磁力により冷蔵庫本体６０のアウトケース７０に密着される密着部５２と、前記密着部５２の下段に一体として形成され、前記密着部の下段に空気を注入することができる一定の空間を形成し、衝撃を緩和させる隔壁にて多数に区分された空気ポケット５３と、前記空気ポケット５３の下段に一体として形成され前記ドアライナー３０の結合溝３１に挿着固定されるアンカー形状の結合部５４にて構成される。ここで、前記空気ポケット５３は前記冷蔵庫ドア１０を前記冷蔵庫本体６０に閉める時に発生する衝撃を緩和させるために備えられたものである。また、前記アウトケース７０は前記磁石５１により引力が作用される磁性体にて形成される。
【０００５】
前記ドアガスケット５０が装着固定された冷蔵庫ドア１０が前記冷蔵庫本体６０の前面の方に閉められると、前記密着部５２に挿着された磁石５１と前記アウトケース７０の間に引力が作用して冷蔵庫ドア１０が冷蔵庫本体６０に付着されることにより冷蔵庫の内部が冷蔵庫の外部から遮断される。
【０００６】
また、前記冷蔵庫本体６０から冷蔵庫ドア１０を分離させるため、前記冷蔵庫ドアを引っ張ると、前記冷蔵庫ドア１０に結合されたドアライナー３０が前記ドアガスケット５０の結合部５４を引っ張る力が作用する。この時、前記結合部５４に伝達された引張荷重が前記結合部５４と一体として形成された空気ポケット５３と、前記空気ポケット５３と一体として形成された密着部５２にそのまま伝達される。従って、前記冷蔵庫本体６０に付着された密着部５２が冷蔵庫本体のアウトケース７０から分離されながら冷蔵庫本体と冷蔵庫ドアの間が開放される。
【０００７】
前記のようにドアガスケット５０は冷蔵庫の特徴上、いろいろな条件が要求される。特にその中で、冷蔵庫ドアと冷蔵庫本体６０の間を確実に密閉させ、冷蔵庫の内部から冷蔵庫の外部に冷気が漏洩されることと、冷蔵庫の外部から冷蔵庫の内部に外部の熱が流入されることを遮断させることができる断熱性が強く要求される。
【０００８】
一方、前記冷蔵庫本体６０の側面は磁性体にて形成され、冷蔵庫の外壁を構成するアウトケース７０と、冷蔵庫の内壁を構成するインナーケース８０と、冷蔵庫の外部と冷蔵庫の内部との温度差により冷蔵庫の壁面に生成される結露を防止するために前記アウトケース７０の後面に設けられるホットライン９０にて構成される。この時、前記ホットライン９０から発熱された熱がアウトケース７０に伝達されると同時に、冷蔵庫の内部通路Ａ、即ち、冷蔵庫本体のインナーケース８０と冷蔵庫ドアのドアライナー３０の間を通じて冷蔵庫本体の内部に流入される。
【０００９】
【発明が解決しようとする課題】
このように流入された熱は冷蔵庫自体の冷却性能を低下させるようになり、これにより消費電力も増加するという問題が発生する。
また、図１４に図示された従来のドアガスケット５０は一定の幅を維持している密着部５２だけが冷蔵庫本体６０に付着されながら、冷蔵庫内部の冷気と冷蔵庫外部の熱が冷蔵庫の内外に伝達されることを遮断している。この時、もしドアガスケットが長い間使用されることになると、頻繁な冷蔵庫ドアの開閉によりドアガスケットの密着部５２がすり減ることになり、冷蔵庫ドア１０を冷蔵庫本体６０に閉める時、前記ドアガスケット５０の密着部５２が前記冷蔵庫本体のアウトケース７０に正確に付着されない。これにより、冷蔵庫ドア１０と冷蔵庫本体６０との間で密閉が成されないようになり、冷蔵庫内部の冷気が冷蔵庫の外部に漏洩されるか、冷蔵庫外部の熱が冷蔵庫の内部に流入されることになる。
【００１０】
このように、冷蔵庫ドアと冷蔵庫本体の間に密閉が成されないようになり、冷気が漏洩されたり冷蔵庫外部の熱が冷蔵庫の内部に伝達される場合には冷蔵庫の冷却性能が著しく低下されるという問題が発生することになる。
【００１１】
本発明は前記の問題点を解決するために案出したものであり、断熱性能を向上させた冷蔵庫用密閉装置を提供することにその目的がある。
本発明はドアガスケットの空気ポケットの構造を変形させ、熱が冷蔵庫の内部に浸透されることを遮断するための冷蔵庫用密閉装置を提供することに他の目的がある。
本発明は冷蔵庫本体のインナーケースまたは冷蔵庫ドアのドアライナーの中の一つに突出部を形成し、熱が冷蔵庫の内部に浸透されることを最小化するための冷蔵庫用密閉装置を提供することにまた他の目的がある。
【００１２】
【課題を解決するための手段】
前記の目的を達成するための本発明の好ましい一実施形態によると、冷蔵庫ドアの一側に設けられ、インナーケースとドアライナーの間に密閉されるように自由自在に変形及び回転がされる空気ポケットを備えたドアガスケットと、前記空気ポケットが容易に密閉されるように前記インナーケースまたはドアライナーの中の少なくともいずれかの一つから前記インナーケースと前記ドアライナーの間に突出されるように形成された突出部を含む冷蔵庫用密閉装置が提供される。
【００１３】
前記空気ポケットの上部は下部に比べて厚さが薄いのが好ましい。
前記空気ポケットの内側には形状を維持するための支え隔壁が備えられ、前記空気ポケットが自由自在に変形及び回転されるように前記空気ポケットの下部の一側に第１凹部が形成され、前記密着部と前記空気ポケットの間を離隔させるために前記空気ポケットの上部の一側に第２凹部が形成されるのが好ましい。
【００１４】
前記突出部は前記インナーケースの下段部に形成されるか、前記ドアライナーに形成されるか、前記インナーケース及び前記ドアライナーで互いに対向されるように形成されるかまたは前記インナーケース及び前記ドアライナーで互いに擦れ違うように形成される。
本発明の好ましい他の実施形態によると、冷蔵庫ドアの一側に設けられ、自由自在に変形及び回転が成される空気ポケットが密着部の側部から前記冷蔵庫ドアの内側の方に長く延長され一体として形成される冷蔵庫用ドアガスケットが提供される。
【００１５】
前記空気ポケットは冷蔵庫ドアが閉められる場合、前記インナーケースと前記ドアライナーの間に密着されるのが好ましい。
本発明の好ましいまた他の実施形態によると、インナーケースまたはドアライナーの中で少なくともいずれかの一つから前記インナーケースと前記ドアライナーの間に突出されるように形成された突出部を含んで構成される冷蔵庫用密閉装置が提供される。
【００１６】
本発明の好ましいまた他の実施形態によると、ドアライナーの結合溝に挿入固定される結合部と、前記結合部と一体として形成され冷蔵庫ドアと冷蔵庫本体との接触時に加えられる衝撃を吸収するための第１空気ポケットと、前記第１空気ポケットに一体として形成され、内部に挿入された磁石により冷蔵庫本体と密着される密着部と、前記密着部の側部から前記冷蔵庫ドアの内側の方に長く延長され一体として形成され自由自在に変形及び回転される第２空気ポケットを含む冷蔵庫用ドアガスケットが提供される。
【００１７】
【発明の実施の形態】
以下、添付した図面を参照し、本発明の好ましい実施形態を説明する。
［実施形態１］
実施形態１は冷蔵庫ドアに装着固定されるドアガスケットの空気ポケットを変形させ、冷蔵庫の内外を密閉させることに関する。
図１は本発明の好ましい一つの実施形態による冷蔵庫のドアガスケットを示す図である。図１を参照すれば、本発明のドアガスケット１１０はドアライナー３０の結合溝３１に挿入固定される結合部１１１と、前記結合部１１１と一体として形成され前記冷蔵庫ドア１０と冷蔵庫本体６０との接触時に加えられる衝撃を吸収するための第１空気ポケット１１３と、前記第１空気ポケット１１３に一体として形成され、内部に挿入された磁石１１７により冷蔵庫本体６０と密着される密着部１１９と、前記密着部１１９の側部から前記冷蔵庫ドア１０の内側の方に長く延長され一体として形成され自由自在に変形及び回転される第２空気ポケット１１５にて構成される。
【００１８】
前記結合部１１１は、アンカー形状に形成されていて、挿入を容易にしながら離脱を困難にするように前記ドアライナー３０の結合溝３１に堅固に挿入固定される。
前記第１空気ポケット１１３は前記冷蔵庫ドア１０が前記冷蔵庫本体６０に閉められる時に発生する衝撃を緩和させ、衝撃により冷蔵庫ドア１０が反対の方向に跳ね返ることを防止し、磁石１１９が装着された前記密着部１１９が前記冷蔵庫本体６０のアウトケース７０に付着される。
【００１９】
前記第２空気ポケット１１５は本発明の核心であって、前記冷蔵庫ドア１０のドアライナー３０側の方に長く延長されるように形成される。この時、前記第２空気ポケット１１５の上部１２７の厚さｔが、前記第２空気ポケットの下部１２１の厚さＴに比べて薄くなるように形成されることが好ましい。このように、前記第２空気ポケット１１５の上部１２７を薄く形成することによって、冷蔵庫本体６０との接触時に前記冷蔵庫本体により容易に押されることになる。また、前記第２空気ポケット１１５の下部１２１を厚く形成することで、冷蔵庫本体との接触時に一定以上に押されないようにしながら前記第２空気ポケット１１５の形状を維持させることができる。
【００２０】
前記第２空気ポケットの下部１２１の一側には前記第２空気ポケット１１５が自由自在に変形及び回転することができるための第１凹部１２３が形成される。従って、前記第２空気ポケット１１５は前記第１凹部１２３により前記冷蔵庫本体６０との接触により自由自在に空気ポケットが変形または回転することができる。即ち、前記第２空気ポケット１１５は前記第１凹部１２３により屈曲が容易となる。
【００２１】
前記第２空気ポケット１１５には第２空気ポケットが通常時に伸びることを防止し、その形状をより堅固に維持させるため内側の方に支え隔壁１２５を備えることができる。
前記密着部１１９には磁石が挿着されていて、冷蔵庫ドア１０が冷蔵庫本体６０に付着される。
前記のようなドアガスケット１１０での第２空気ポケット１１５はドアが閉められた時にインナーケースにより押されながら密着部１１９が共に離隔され、本体に密着がよくできない状況が発生することもある。
これを解決するために、ドアガスケット１１０の第２空気ポケットの構造を図２のように変形させることができる。
【００２２】
図２は本発明の好ましい他の実施形態による冷蔵庫のドアガスケットを示す図である。図２を参照すれば、第２空気ポケット１１５は密着部１１９が空気ポケットを押さないため前記第２空気ポケットの上部１２７の一側に第２凹部１２９が形成される。前記第２凹部１２９により前記密着部１１９と前記第２空気ポケット１１５の間が離隔されるようになり、第２空気ポケット１１５が押されるようになっても前記密着部１１９に影響を与えない。従って、前記第２凹部１２９の形成により前記密着部１１９は前記第２空気ポケット１１５の押されることに関係なく本体に密着することができる。即ち、第２凹部１２９は前記密着部１１９と前記第２空気ポケット１１５が互いに独立的に変形されるために形成されたものである。
【００２３】
以下、図３乃至図６を参照して前記のようなドアガスケットが冷蔵庫のドアに適用されることに対して説明する。
図３及び図５は本発明の好ましい一つの実施形態による冷蔵庫のドアガスケットが冷蔵庫の冷凍室と冷蔵室のドア接触部（マリオン（ｍｕｌｌｉｏｎ）部）と冷蔵庫の外郭ドア接触部（ケースフランジ（Ｃａｓｅ−Ｆｌａｎｇｅ）部）にそれぞれ適用されたことを示す図である。図３及び図５を参照すれば、本発明の好ましい一つの実施形態による冷蔵庫のドアガスケット１１０が装着固定される冷蔵庫ドア１０が冷蔵庫本体６０に閉められる場合、第２空気ポケット１１５が冷蔵庫の内部通路、即ち、冷蔵庫本体６０のインナーケース８０と冷蔵庫ドア１０のドアライナー３０の間を閉ざすことになる。この時、前記第２空気ポケット１１５は内部通路Ａの構造が違うとしても、前記第１凹部１２３により上または下に自由自在に変形乃至回転される。
【００２４】
図４及び図６は本発明の好ましい他の実施形態による冷蔵庫のドアガスケットが冷蔵庫の冷凍室と冷蔵室のドア接触部（マリオン（ｍｕｌｌｉｏｎ）部）と冷蔵庫の外郭ドア接触部（ケースフランジ（Ｃａｓｅ−Ｆｌａｎｇｅ）部）にそれぞれ適用されたことを示す図である。図４及び図６に図示されたように、第２空気ポケット１１５は冷蔵庫ドア１０が閉められる時、冷蔵庫の内部通路、即ち、冷蔵庫本体６０のインナーケース８０と冷蔵庫ドア１０のドアライナー３０の間を閉ざすことになる。また、前記第２空気ポケット１１５には第２凹部１２９がさらに形成されていて、密着部がすり減るようになり前記第２空気ポケットの方に押されることになっても、前記密着部１１９により前記第２空気ポケットの形状が変形され、前記内部通路Ａが完全に密閉されない状況が発生されることを未然に防止することができる。また、前記第２凹部１２９の形成により前記空気ポケットは左または右の方に自由自在に移動することができる。
【００２５】
［実施形態２］
実施形態２は冷蔵庫の内部通路Ａ、即ち、冷蔵庫本体のインナーケースと冷蔵庫ドアのドアライナーの間の間隔を最大限に狭くし、インナーケースＡＢＳ樹脂及びドアライナーの壁を通って伝導される熱伝導の経路を長くして冷蔵庫の内外に移動される冷気または熱が伝達されることを抑制させることに関する。
【００２６】
前記内部通路Ａを狭くする構造は図７に示すように、冷蔵庫ドア１０のドアライナー３０の側に突出されるように形成された突出部１３１が冷蔵庫本体６０のインナーケース８０の一側に形成される。この時、前記突出部１３１は前記冷蔵庫本体６０のインナーケース８０の一側のどこにでも形成して良い。
【００２７】
前記内部通路Ａを狭くする他の構造は、図８に示すように、冷蔵庫ドア１０のドアライナー３０を突出させても良い。即ち、冷蔵庫本体６０のイナーケース８０の側に突出されるように形成された突出部１３３が前記冷蔵庫ドア１０のドアライナー３０の一側に形成されることになる。
【００２８】
前記内部通路Ａを狭くするまた他の構造は、図９に示すように、突出部１３１、１３３が冷蔵庫本体６０のインナーケース８０と冷蔵庫ドア１０のドアライナー３０で互いに対向されるように突出形成されることができる。
前記内部通路Ａを狭くするまた他の構造は図１０に示すように、突出部１３１，１３３が冷蔵庫本体６０のインナーケース８０と冷蔵庫ドア１０のドアライナー３０で互いに擦れ違うように突出形成されることもできる。
【００２９】
図９及び図１０のように、冷蔵庫本体６０のインナーケース８０と冷蔵庫ドア１０のドアライナー３０で突出部１３１、１３３が互いに対向または擦れ違うように形成されることで、より熱または冷気を遮断させることができる。
図７乃至図１０で、前記突出部１３１、１３３は内部通路Ａを通る熱または冷気の熱伝導抵抗が増加されるように幅Ｗが広く形成されることが好ましい。
【００３０】
図７乃至図１０で、前記突出部１３１、１３３は前記冷蔵庫ドア１０のドアライナー３０の側に近く、即ち、内部通路Ａが最大限に狭くなるように形成されることが好ましい。勿論、前記突出部１３１、１３３は前記冷蔵庫ドアが前記冷蔵庫本体６０に閉められる時、前記ドアライナー３０に掛からない程度に形成されなくてはならない。
図７乃至図１０で形成された突出部１３１、１３３はインナーケース８０及びドアライナー３０の形成時に簡単に製作することができ、また、目によく止まらない部分に形成されることにより、冷蔵庫の美観を大きく毀損させずに、熱または冷気を遮断することができる。
【００３１】
［実施形態３］
実施形態３は実施形態１と実施形態２を適用してより確実に冷蔵庫の内外が密閉されるようにしたものである。即ち、実施形態３はドアガスケットの第２空気ポケットを利用して内部通路Ａを閉ざせながら、突出部を利用して内部通路が狭くなるように形成し、熱または冷気を完璧に遮断させ冷却性能を最大限に向上させることができる。
図１１及び図１２は本発明の好ましい一つの実施形態による冷蔵庫のドアガスケットが冷蔵庫の冷凍室と冷蔵室のドア接触部（マリオン（ｍｕｌｌｉｏｎ）部）に適用されながら冷蔵庫の内部通路を変形させた構造を示す図である。
【００３２】
図１１及び図１２で示すように、第２空気ポケット１１５がドアライナー３０の側の方に長く延長されるように形成されると同時に、自由自在に変形及び回転される第１凹部１２３と、密着部１１９と前記第２空気ポケット１１５の間を離隔させる第２凹部１２９がそれぞれ形成されるドアガスケット１１０と、内部通路Ａを狭くするために形成された突出部１３１、１３３を一緒に冷蔵庫ドア１０及び冷蔵庫本体６０に備えさせることで、第２空気ポケット１１５により一次密閉をさせる同時に、内部通路が狭いように形成された突出部１３１、１３３により二次密閉が成されて完璧な密閉を達成し、冷却性能を最大限に向上させ、これにより消費電力も大きく低減させることができる。
【００３３】
この時、前記突出部１３１、１３３は前記第２空気ポケット１１５が密閉されるようにインナーケース８０またはドアライナー３０の下段部、もっと正確に言えば、前記冷蔵庫ドア１０が閉められる時、前記第２空気ポケット１１５と一定の部分重ねることができる部分に形成されることが好ましい。
以上で、実施形態３は、ドアガスケットがマリオン部に適用されることに限定して説明しているが、実施形態３はケースフランジ（Ｃａｓｅ−Ｆｌａｎｇｅ）部、即ち、冷蔵室及び冷凍室の側部にも適用が可能であることは勿論である。
【００３４】
【発明の効果】
以上説明したように、本発明の冷蔵庫用密閉装置によると、ドアガスケットの空気ポケットを変形させ内部通路を密閉させることで、冷蔵庫外部の熱またはホットラインから発熱された熱が冷蔵庫の内部に流入されることと、冷蔵庫の内部の冷気が冷蔵庫の外部に漏洩されることを遮断させることができて冷却性能を向上させることができる。
【００３５】
本発明の冷蔵庫用密閉装置によると、冷蔵庫本体のイナーケースまたは冷蔵庫ドアのドアライナーに突出部を形成させ内部通路を狭くすることで、最大限に冷蔵庫内部の冷気または冷蔵庫外部の熱の熱伝導抵抗を増加させ冷蔵庫の冷却性能を向上させることができる。
【００３６】
本発明の冷蔵庫用密閉装置によると、ドアガスケットの密着部が古くなってすり減るようになっても、空気ポケットにより冷蔵庫の内部通路をもう一度閉ざすことによって、完璧に冷蔵庫内外の熱伝達または冷気伝達だけではなく、ホットラインで発生された熱伝達を遮断させ断熱性能を顕著に向上させることができ、これにより冷蔵庫の消費電力も大きく低減させることができる効果がある。
【００３７】
本発明の冷蔵庫用密閉装置によると、ドアガスケットの空気ポケットを変形させると同時に、内部通路を狭くする突出部を形成することで、完璧な密閉が成され、冷却性能を最大限に向上させながらこれによる消費電力も懸隔に落とす効果が期待される。
【図面の簡単な説明】
【図１】本発明の好ましい一つの実施形態による冷蔵庫のドアガスケットを示す図である。
【図２】本発明の好ましい他の実施形態による冷蔵庫のドアガスケットを示す図である。
【図３】本発明の好ましい一つの実施形態による冷蔵庫のドアガスケットが、冷蔵庫の冷凍室と冷蔵室のドア接触部（マリオン部）に適用されたことを示す図である。
【図４】本発明の好ましい他の実施形態による冷蔵庫のドアガスケットが、冷蔵庫の冷凍室と冷蔵室のドア接触部（マリオン部）に適用されたことを示す図である。
【図５】本発明の好ましい一つの実施形態による冷蔵庫のドアガスケットが冷蔵庫の外郭ドア接触部（ケースフランジ部）に適用されたことを示す図である。
【図６】本発明の好ましい他の実施形態によるドアガスケットが冷蔵庫の外郭ドア接触部（ケースフランジ部）に適用されたことを示す図である。
【図７】本発明の好ましいまた他の実施形態による冷蔵庫用密閉装置で、冷蔵庫本体のインナーケースを変形させた構造を示す図である。
【図８】本発明の好ましいまた他の実施形態による冷蔵庫用密閉装置で、冷蔵庫ドアのドアライナーを変形させた構造を示す図である。
【図９】本発明の好ましいまた他の実施形態による冷蔵庫用密閉装置で、冷蔵庫本体のインナーケースと冷蔵庫ドアのドアライナーを皆変形させた構造を示す図である。
【図１０】本発明の好ましいまた他の実施形態による冷蔵庫用密閉装置で、冷蔵庫本体のインナーケースと冷蔵庫ドアのドアライナーを皆変形させた構造を示す図である。
【図１１】本発明の好ましい一つの実施形態による冷蔵庫のドアガスケットが冷蔵庫の冷凍室と冷蔵室のドア接触部（マリオン部）に適用されながら、冷蔵庫の内部通路を変形させた構造を示す図である。
【図１２】本発明の好ましい一つの実施形態による冷蔵庫のドアガスケットが冷蔵庫の冷凍室と冷蔵室のドア接触部（マリオン部）に適用されながら、冷蔵庫の内部通路を変形させた構造を示す図である。
【図１３】従来の冷蔵庫ドアを示すした図である。
【図１４】従来の冷蔵庫ドアで、冷凍室と冷蔵室を区切るマリオン部のドアライナーに装着されたドアガスケットを示す図である。
【符号の説明】
３０…ドアライナー
８０…インナーケース
１１３…第１空気ポケット
１１５…第２空気ポケット
１１９…密着部
１２３…第１凹部
１２５…隔壁
１２９…第２凹部
１３１、１３３…突出部
【図１】
2004012121.tif 000003
【図２】
2004012121.tif 000004
【図３】
2004012121.tif 000005
【図４】
2004012121.tif 000006
【図５】
2004012121.tif 000007
【図６】
2004012121.tif 000008
【図７】
2004012121.tif 000009
【図８】
2004012121.tif 000010
【図９】
2004012121.tif 000011
【図１０】
2004012121.tif 000012
【図１１】
2004012121.tif 000013
【図１２】
2004012121.tif 000014
【図１３】
2004012121.tif 000015
【図１４】
2004012121.tif 000016